(57)【特許請求の範囲】
【請求項１】
物理層（ＰＨＹ）データユニットにおける情報ビットをインターリーブする方法であって、
前記ＰＨＹデータユニットを送信するために使用されるチャネル帯域幅を決定する段階と、
前記チャネル帯域幅に対応する周波数回転パラメータＮＲＯＴを選択する段階と、
空間ストリームそれぞれについて、
（ｉ）使用される空間ストリームの数に応じて、［０，５，２，７，３，６，１，４］の組から又は当該組のサブセットから、空間ストリーム定数を選択する段階と、
（ｉｉ）選択された前記周波数回転パラメータＮＲＯＴ及び選択された前記空間ストリーム定数に従って、前記情報ビットをインターリーブする段階と、を備え、
前記組の定数はそれぞれ、空間ストリームに対応している方法。
【請求項２】
前記選択された周波数回転パラメータＮＲＯＴ及び前記選択された空間ストリーム定数に従って前記情報ビットをインターリーブする段階は、４つより多い空間ストリームに対して、前記ＰＨＹデータユニットが生成される場合に、
【数９】
0005839416.tif 000016
に従って、前記情報ビットに対する出力空間ストリームインデックスを決定する段階を有し、
ここで、ｒ及びｊはそれぞれ、出力ビットインデックス及び入力ビットインデックスであり、ｉｓｓは空間ストリームインデックスであり、ＮＢＰＳＣＳはサブキャリア毎のビット数であり、ＮＣＢＰＳＳは前記空間ストリームの符号化されたビットの数であり、Ｊ（ｉｓｓ）は、前記使用される空間ストリームの数に応じて、前記［０，５，２，７，３，６，１，４］の組又は当該組のサブセットから選択される空間ストリーム定数である、
請求項１に記載の方法。
【請求項３】
前記チャネル帯域幅が２０ＭＨｚの場合には、ＮＲＯＴ＝６である請求項１に記載の方法。
【請求項４】
前記チャネル帯域幅が４０ＭＨｚの場合には、ＮＲＯＴ＝１３である請求項１に記載の方法。
【請求項５】
前記チャネル帯域幅が８０ＭＨｚの場合には、ＮＲＯＴ＝２８である請求項１に記載の方法。
【請求項６】
ＰＨＹデータユニットを送信するのに使用されるチャネル帯域幅を決定するネットワークインターフェースデバイスを備える装置であって、
前記ネットワークインターフェースデバイスは、インターリーバを有し、
前記インターリーバは、
前記チャネル帯域幅に対応する周波数回転パラメータＮＲＯＴを選択し、
空間ストリームそれぞれについて、
（ｉ）使用される空間ストリームの数に応じて、［０，５，２，７，３，６，１，４］の組から又は当該組のサブセットから、空間ストリーム定数を選択し、
（ｉｉ）選択された前記周波数回転パラメータＮＲＯＴ及び選択された前記空間ストリーム定数に従って、情報ビットをインターリーブし、
前記組の定数はそれぞれ、空間ストリームに対応している装置。
【請求項７】
前記インターリーバは、４つより多い空間ストリームに対して、前記ＰＨＹデータユニットが生成される場合に、
【数９】
0005839416.tif 000017
に従って、前記情報ビットに対する出力空間ストリームインデックスを決定し、
ここで、ｒ及びｊはそれぞれ、出力ビットインデックス及び入力ビットインデックスであり、ｉｓｓは空間ストリームインデックスであり、ＮＢＰＳＣＳはサブキャリア毎のビット数であり、ＮＣＢＰＳＳは前記空間ストリームの符号化されたビットの数であり、Ｊ（ｉｓｓ）は、前記使用される空間ストリームの数に応じて、前記［０，５，２，７，３，６，１，４］の組又は当該組のサブセットから選択される空間ストリーム定数である、
請求項６に記載の装置。
【請求項８】
前記チャネル帯域幅が２０ＭＨｚの場合には、ＮＲＯＴ＝６である請求項６に記載の装置。
【請求項９】
前記チャネル帯域幅が４０ＭＨｚの場合には、ＮＲＯＴ＝１３である請求項６に記載の装置。
【請求項１０】
前記チャネル帯域幅が８０ＭＨｚの場合には、ＮＲＯＴ＝２８である請求項６に記載の装置。
【発明の詳細な説明】
【技術分野】
【０００１】
本開示は、概して、通信ネットワークに関し、より詳細には、無線ネットワークで送信されるデータをインターリーブすることに関する。
【０００２】
［関連出願］
本開示は、２０１０年９月１日出願の米国仮出願61/379,319号の優先権を主張するものであり、前記出願の内容は、参照により本明細書に組み込まれる。
【背景技術】
【０００３】
本発明の理解するための背景を、一般的に説明することを目的として、背景技術を説明する。以下、背景技術の章において説明される範囲及び出願時には従来技術として認められていない側面の範囲において、本願発明者の仕事は、本開示に対して明示的に又は非明示的にも、従来技術であるとは認めていない。
【０００４】
電気電子技術者協会（ＩＥＥＥ）８０２．１１ａ、８０２．１１ｂ、８０２．１１ｇ及び８０２．１１ｎ規格のような無線ローカルエリアネットワーク（ＷＬＡＮ）規格により、シングルユーザ・ピークデータスループットの改善がなされてきた。例えば、ＩＥＥＥ８０２．１１ｂ規格では、１１メガビット／秒（Ｍｂｐｓ）のシングルユーザスループットが規定されており、ＩＥＥＥ８０２．１１ａ及び８０２．１１ｇ規格では、５４Ｍｂｐｓのシングルユーザスループットが規定されており、ＩＥＥＥ８０２．１１ｎ規格では、６００Ｍｂｐｓのシングルユーザスループットが規定されている。より大きなスループットを提供する新たな規格であるＩＥＥＥ８０２．１１ａｃについての検討も進められている。
【発明の概要】
【０００５】
一実施形態において、物理層（ＰＨＹ）データユニットにおける情報ビットをインターリーブする方法であって、当該方法は、ＰＨＹデータユニットを送信するのに使用されるチャネル帯域幅を決定する段階と、チャネル帯域幅に対応する周波数回転パラメータＮＲＯＴを選択する段階とを備える。方法はまた、空間ストリームそれぞれについて、（ｉ）使用される空間ストリームの数に応じて、［０，５，２，７，３，６，１，４］の組から又は当該組のサブセットから、空間ストリーム定数を選択する段階と、（ｉｉ）選択された周波数回転パラメータＮＲＯＴ及び選択された空間ストリーム定数に従って、情報ビットをインターリーブする段階とを備え、組の定数はそれぞれ、空間ストリームに対応している。
【０００６】
別の実施形態では、ＰＨＹデータユニットを送信するのに使用されるチャネル帯域幅を決定するネットワークインターフェースデバイスを備える。ネットワークインターフェースデバイスは、チャネル帯域幅に対応する周波数回転パラメータＮＲＯＴを選択するインターリーバを有する。上記インターリーバは更に、空間ストリームそれぞれについて、（ｉ）使用される空間ストリームの数に応じて、［０，５，２，７，３，６，１，４］の組から又は当該組のサブセットから、空間ストリーム定数を選択し、（ｉｉ）選択された周波数回転パラメータＮＲＯＴ及び選択された空間ストリーム定数に従って、情報ビットをインターリーブし、組の定数はそれぞれ、空間ストリームに対応している。
【０００７】
更なる別の実施形態では、複数入力複数出力（ＭＩＭＯ）通信システムのインターリーバパラメータを決定する方法であって、複数のシステム構成について、複数の隣接する空間ストリームの最大平均距離を決定する段階を備える。方法は更に、決定された最大平均距離に基づいて、複数のシステム構成に対して、インターリーバパラメータの組を決定する段階を備える。
【０００８】
更なる別の実施形態では、機械実行可能命令を格納するコンピュータ可読媒体を提供する。機械実行可能命令は、複数入力複数出力（ＭＩＭＯ）通信システムのインターリーバパラメータを決定させるべく、機械に、複数のシステム構成について、複数の隣接する空間ストリームの最大平均距離を決定する段階と、決定された前記最大平均距離に基づいて、前記複数のシステム構成について、インターリーバパラメータの組を決定する段階とを実行させる。
【図面の簡単な説明】
【０００９】
【図１】一実施形態に係る、本明細書で説明される情報ビットインターリーブ技術を使用する無線ローカルエリアネットワーク（ＷＬＡＮ）の一実施形態例を示したブロック図である。
【００１０】
【図２】一実施形態に係る物理層（ＰＨＹ）プロセッシングユニットの一例を示したブロック図である。
【００１１】
【図３】一実施形態に係るインターリーバ設計の一例に対する最大平均距離値のプロットである。
【００１２】
【図４】一実施形態に係るインターリーバ設計の例における様々なインターリーバパラメータを比較したシミュレーション結果である。
【図５】一実施形態に係るインターリーバ設計の例における様々なインターリーバパラメータを比較したシミュレーション結果である。
【図６】一実施形態に係るインターリーバ設計の例における様々なインターリーバパラメータを比較したシミュレーション結果である。
【図７】一実施形態に係るインターリーバ設計の例における様々なインターリーバパラメータを比較したシミュレーション結果である。
【図８】一実施形態に係るインターリーバ設計の例における様々なインターリーバパラメータを比較したシミュレーション結果である。
【図９】一実施形態に係るインターリーバ設計の例における様々なインターリーバパラメータを比較したシミュレーション結果である。
【図１０】一実施形態に係るインターリーバ設計の例における様々なインターリーバパラメータを比較したシミュレーション結果である。
【図１１】一実施形態に係るインターリーバ設計の例における様々なインターリーバパラメータを比較したシミュレーション結果である。
【００１３】
【図１２】一実施形態に係るデータユニットにおける情報ビットをインターリーブする方法の一例を示したフローチャートである。
【００１４】
【図１３】一実施形態に係る、複数入力複数出力（ＭＩＭＯ）通信システムについてインターリーバパラメータを決定する方法の一例を示したフローチャートである。
【発明を実施するための形態】
【００１５】
図１は、一実施形態に係る、本明細書で説明される情報ビットインターリーブ技術を使用する無線ローカルエリアネットワーク（ＷＬＡＮ）１０の一実施形態例を示したブロック図である。ＡＰ１４は、ネットワークインターフェース１６に接続されたホストプロセッサ１５を備える。ネットワークインターフェース１６は、媒体アクセス制御（ＭＡＣ）処理ユニット１８及び物理層（ＰＨＹ）処理ユニット２０を有する。ＰＨＹ処理ユニット２０は、複数の送受信機２１を含み、複数の送受信機２１は、複数のアンテナ２４に接続されている。図１には、３つの送受信機２１及び３つのアンテナ２４が示されているが、別の実施形態では、ＡＰ１４は、異なる数（例えば、１、２、４、５等）の送受信機２１及びアンテナ２４を備えてもよい。一実施形態において、ＭＡＣ処理ユニット１８及びＰＨＹ処理ユニット２０は、第１通信プロトコル（例えば、現在、規格化プロセス段階にあるＩＥＥＥ８０２．１１ａｃ）に従って動作するように構成されている。第１通信プロトコルは、本明細書では、超高スループット（ＶＨＴ）プロトコルとも称される。別の実施形態では、ＭＡＣ処理ユニット１８及びＰＨＹ処理ユニット２０はまた、少なくとも第２通信プロトコル（例えば、ＩＥＥＥ８０２．１１ｎ規格、ＩＥＥＥ８０２．１１ａ規格等）に従って動作するように構成されている。
【００１６】
ＷＬＡＮ１０は、複数のクライアント局２５を含む。図１には、４つのクライアント局２５が示されているが、他のシナリオ及び／又は実施形態では、ＷＬＡＮ１０は、異なる数（例えば、１、２、３、５、６等）のクライアント局２５を含んでもよい。複数のクライアント局２５のうちの少なくとも１つ（例えば、クライアント局２５−１）は、少なくとも第１通信プロトコルに従って動作するよう構成されている。
【００１７】
クライアント局２５−１は、ネットワークインターフェース２７に接続されたホストプロセッサ２６を備える。ネットワークインターフェース２７は、ＭＡＣ処理ユニット２８及びＰＨＹ処理ユニット２９を有する。ＰＨＹ処理ユニット２９は、複数の送受信機３０を含み、複数の送受信機３０は、複数のアンテナ３４に接続されている。図１には、３つの送受信機３０及び３つのアンテナ３４が示されているが、別の実施形態では、クライアント局２５−１は、異なる数（例えば、１、２、４、５等）の送受信機３０及びアンテナ３４を備えてもよい。
【００１８】
一実施形態では、クライアント局２５−２、２５−３及び２５−４のうちの１つ又は全てが、クライアント局２５−１と同一の又は同様な構造を有する。このような実施形態において、クライアント局２５−１と同一の又は同様な構造を有する複数のクライアント局２５は、同じ数又は異なる数の送受信機及びアンテナを有する。例えば、一実施形態において、クライアント局２５−２は、送受信機及びアンテナをそれぞれ２つのみ有する。
【００１９】
様々な実施形態において、ＡＰ１４のＰＨＹ処理ユニット２０は、第１通信プロトコルに準拠するデータユニットを生成するように構成される。送受信機２１は、アンテナ２４を介して、生成されたデータユニットを送信する。同様に、送受信機２４は、アンテナ２４を介してデータユニットを受信する。一実施形態において、ＡＰ１４のＰＨＹ処理ユニット２０は、第１通信プロトコルに準拠する受信データユニットを処理するように構成される。
【００２０】
様々な実施形態において、クライアントデバイス２５−１のＰＨＹ処理ユニット２９は、第１通信プロトコルに準拠するデータユニットを生成するように構成される。送受信機３０は、アンテナ３４を介して、生成されたデータユニットを送信する。同様に、送受信機３０は、アンテナ３４を介してデータユニットを受信する。一実施形態において、クライアントデバイス２５−１のＰＨＹ処理ユニット２９は、第１通信プロトコルに準拠する受信データユニットを処理するように構成される。
【００２１】
図２は、一実施形態に係る、ＶＨＴプロトコルに従って動作するＰＨＹプロセッシングユニット２００の一例を示したブロック図である。図１に示したように、一実施形態において、ＡＰ１４及びクライアント局２５−１はそれぞれ、ＰＨＹプロセッシングユニット２００のようなＰＨＹプロセッシングユニットを有する。
【００２２】
ＰＨＹユニット２００は、一実施形態において、１又は０が長く続くシーケンスの発生を低減させるべく、情報ビットストリームをスクランブルするスクランブラ２０４を備える。別の実施形態は、スクランブラ２０４に替えて、エンコーダパーサ２０８後に複数の平行スクランブラが配置されてもよい。この実施では、複数の平行スクランブラはそれぞれ、複数のＦＥＣエンコーダ２１２のうちの対応する１つに接続される出力を有する。複数の平行スクランブラは、逆多重化（demultiplex）されたストリームに対して、同時に操作を行う。別の実施形態では、スクランブラ２０４は、複数の平行スクランブラ、及び、情報ビットストリームを逆多重化するデマルチプレクサ（demultiplexer）を含み、複数の平行スクランブラは、逆多重化されたストリームに対してで同時に操作を行う。このような実施形態は、あるシナリオでは、広い帯域幅を利用する場合に有用であり、高い動作クロック周波数を実現できる。
【００２３】
エンコーダパーサ（encoder parser）２０８は、スクランブラ２０４に接続されている。エンコーダパーサ２０８は、情報ビットストリームを、１以上のＦＥＣエンコーダ２１２に対応する１以上のエンコーダ入力ストリームへと逆多重化する。複数の平行スクランブラを使用する別の実施形態では、エンコーダパーサ２０８は、情報ビットストリームを、複数の平行スクランブラに対応する複数のストリームへと逆多重化する。
【００２４】
エンコーダ２１２はそれぞれ、対応する入力ストリームを符合化して、対応する符合化ストリームを生成する。一実施形態において、ＦＥＣエンコーダ２１２はそれぞれ、２値畳み込みエンコーダを含む。別の実施形態では、ＦＥＣ２１２エンコーダはそれぞれ、２値畳み込みエンコーダを含み、その後に、パンクチャリングブロックを含む。別の実施形態では、ＦＥＣエンコーダ２１２はそれぞれ、低密度パリティチェック（ＬＤＰＣ）エンコーダを含む。別の実施形態では、ＦＥＣエンコーダ２１２はそれぞれ更に、２値畳み込みエンコーダを含み、その後に、パンクチャリングブロックを含む。この実施形態では、ＦＥＣエンコーダ２１２はそれぞれ、１）パンクチャリングを伴わない２値畳み込みエンコーディング、２）パンクチャリングを伴なう２値畳み込みエンコーディング、又は、３）ＬＤＰＣエンコーディングの何れかを実装する。
【００２５】
ストリームパーサ２１６は、１以上の符合化されたストリームを、１以上の空間ストリームへとパース（parse）して、別個にインターリーブを行って、コンスタレーションポイントへとマッピングする。空間ストリームのそれぞれについて、インターリーバ２２０は、空間ストリームのビットをインターリーブして（すなわち、ビットの順番を変更する）、ノイズの多い複数の隣接するビットからなる長いシーケンスが、受信機のデコーダに入るのを防ぐ。各空間ストリームについて、コンスタレーションマッパ２２４は、インターリーブされたビットのシーケンスを、直交周波数分割多重（ＯＦＤＭ）シンボルの異なる複数のサブキャリアに対応する複数のコンスタレーションポイントにマッピングする。より具体的には、各空間ストリームについて、コンスタレーションマッパ２２４は、長さｌｏｇ２（Ｍ）の長さのビットシーケンス１つを、Ｍ個のコンスタレーションポイントのうちの１つに変換する。コンスタレーションマッパ２２４は、利用される変調及びコーディングスキーム（ＭＣＳ）に応じて、異なる数のコンスタレーションポイントを扱う。一実施形態において、コンスタレーションマッパ２２４は、Ｍ＝２、４、１６、６４、２５６及び１０２４を扱う直角位相変調（ＱＡＭ）マッパである。その他の実施形態では、コンスタレーションマッパ２２４は、｛２、４、１６、６４、２５６、１０２４｝のセットから少なくとも２つの値を選択するＭ個の同等なサブセットに対応する様々なモジュレーションスキームを扱う。
【００２６】
一実施形態において、空間−時間ブロックコーディングユニット２２８は、１以上の空間ストリームに対応するコンスタレーションポイントを受信し、空間ストリームを多数の空間−時間ストリームへと拡張する。ある実施形態では、空間−時間ブロックコーディングユニット２２８は省略される。複数のＣＳＤユニット２３２が、空間−時間ブロックユニット２２８に接続される。ＣＳＤユニット２３２は、複数の空間−時間ストリームのうちの１つを除いて全てに（複数の空間−時間ストリームが存在する場合）、周期的シフトを挿入して、意図しないビーム形成を防ぐ。説明を簡単にするために、空間−時間コーディングユニット２２８が省略される実施形態であっても、ＣＳＤユニット２３２への入力は、空間−時間ストリームと称される。
【００２７】
空間マッピングユニット２３６は、空間時間ストリームを送信チェーンにマッピングする。様々な実施形態において、空間マッピングは、１）空間−時間ストリームのそれぞれからのコンスタレーションポイントが、直接送信チェーンにマッピングされる（すなわち、１対１のマッピング）ダイレクトマッピング、２）全ての空間−時間ストリームからのコンスタレーションポイントのベクトルが、行列乗算によって拡張されて、送信チェーンへの入力が生成される空間的拡張、及び、３）全ての空間−時間ストリームからのコンスタレーションポイントのベクトルが、ステアリングベクトル行列で乗算されて、送信チェーンの入力が生成されるビーム形成、のうちの１以上を含む。
【００２８】
空間マッピングユニット２３６の出力はそれぞれ、送信チェーンに対応し、空間マッピングユニット２３６の出力はそれぞれ、ＩＤＦＴユニット２４０によって演算されて、コンスタレーションポイントのブロックが、時間ドメインの信号へと変換される。ＩＤＦＴユニット２４０の出力が、ＧＩ挿入及びウィンドウ化ユニット２４４に供給されて、ガードインターバル（ＧＩ）部分が各ＯＦＤＭシンボルの先頭に付加される。一実施形態において、ＧＩ部分は、ＯＦＤＭシンボルの循環拡張であり、各シンボルのエッジがスムースになることから、スペクトル減衰が増大する。ＧＩ挿入及びウィンドウ化ユニット２４４の出力は、アナログ及びＲＦユニット２４８に供給されて、信号がアナログ信号に変換されて、このアナログ信号が、送信のためのＲＦ周波数へとアップコンバートされる。様々な実施形態及び／又はシナリオにおいて、信号は、２０ＭＨｚ、４０ＭＨｚ、８０ＭＨｚ、１２０ＭＨｚ又は１６０ＭＨｚ帯域幅チャネルで送信される。
【００２９】
一実施形態において、インターリーバ２２０はそれぞれ、連続した符合化されたビットが、同じチャネル状態の影響を受けるような状態を回避するべく、符合化されたビットの順番を変更する。具体的には、インターリーバ２２０は、隣接する符合化された複数のビットを、周波数ドメイン又は時間ドメインにおいて、隣接しないロケーションへとマッピングする。ある実施形態では、インターリーブは、複数の連続したビットの置換によって実行され、このような実施形態では、インターリーバ設計は、インターリーバ設計が使用される特定のシステム構成に一般的に依存する、複数のインターリーバパラメータ選択を伴う。図１のＷＬＡＮ１０のようなＭＩＭＯ  ＯＦＤＭシステムでは、インターリーバの選択は、例えば、ＯＦＤＭシンボルにおけるデータサブキャリアの数、及び、特定の通信チャネルで使用される空間ストリームの数に依存する。
【００３０】
ＯＦＤＭ変調を使用する実施形態では、第１置換（permutation）では、隣接する符合化されたビットが、隣接しないサブキャリアにマッピングされるようにする。一実施形態では、このオペレーションは、次の式１で表される。
【数１】
0005839416.tif 000002
ここで、ｋ及びｉはそれぞれ、出力ビット及び入力ビットのインデックスであり、ＮＣＢＰＳＳ（ｉｓｓ）は、ｉ番目の空間ストリームに対するシンボル毎の符合化されたビットの数である。一実施形態において、第１置換の出力に対して実行される第２置換では、隣接する複数のビットが、コンスタレーションの下位ビット及び上位ビットに交互にマッピングされるようにして、連続して符合化された信頼性の低いビットの長いシーケンスが形成されるのを防ぐ。一実施形態において、第２置換は、次の式２で表される。
【数２】
0005839416.tif 000003
ここで、ｋは、空間ストリームｉｓｓに対する第１置換の出力におけるサブキャリアインデックスであり、ｊは、空間ストリームｉｓｓに対する第２置換の出力におけるサブキャリアインデックスであり、ＮＣＢＰＳＳは、置換が実行された空間ストリームの符合化されたビットの数である。
【００３１】
更に、ある実施形態では、第２置換の出力に対して第３置換が実行され、第３置換により、各空間ストリームに対して、異なる周波数回転が導入される。一実施形態では、周波数回転は、ＮＲＯＴ×ＮＢＰＳＣＳ×ｎｉｓｓで特徴づけられる。ここで、ＮＲＯＴは、周波数回転パラメータであり、ＮＢＰＳＣＳは、サブキャリア毎のビットの数であり、ｎｉｓｓは、各空間ストリームｉｓｓに対して規定される空間ストリーム定数である。例えば、図２に示すように、パーサ２１６が、情報ビットを８つの空間ストリームにパースする実施形態又はシナリオでは、定数ｎｉｓｓは、［ｎ０，ｎ１，・・・，ｎ７］から選択され、ここで、ｎ０〜ｎ７は、それぞれ、ｉｓｓ＝０からｉｓｓ＝７に対応する整数である。
【００３２】
一般的に、周波数回転パラメータＮＲＯＴとして使用可能な値は多数存在し、特定の通信システムで使用可能な空間ストリーム定数の組も多数存在する。そして、このようなインターリーブパラメータとして最適な値は、システム構成毎に異なる（すなわち、利用される特定のＭＣＳ、チャネル帯域幅、ＯＦＤＭシンボルのデータトーンの数、空間ストリームの数等に依存する）。しかしながら、ある実施形態では、複数の異なるシステム構成に対して、１つ又は幾つかのＮＲＯＴの値、及び、１つ又は幾つかの空間ストリーム定数の組が規定される。このような実施形態では、ＮＲＯＴ及びｎｉｓｓの値は、複数のシステム構成におけるチャネル性能が、特定の基準を満たすように選択される。例えば、このような１つの実施形態では、選択基準として、パケット誤り率（ＰＥＲ）が使用される。すなわち、ＮＲＯＴ及びｎｉｓｓは、複数のシステム構成において、好適に低いＰＥＲが達成されるように選択される。ある実施形態では、ＮＲＯＴ及びｎｉｓｓは、周波数ドメイン又は時間ドメインにおいて、隣接する空間ストリーム間の最も大きい平均距離に基づいて、選択が行われる体系的なインターリーバ設計方法を使用して、選択される。このインターリーバ設計に対する体系的な方法については以下に詳細に説明するが、計算の複雑性が低いインターリーバパラメータ選択プロセスにつながり、数多くの利用可能なインターリーバパラメータを広範囲から探すよりも、効率的である。
【００３３】
このような一実施形態では、使用される特定のシステム構成に関係なく、８つの空間ストリームに対応する空間ストリーム定数の組は、［０，５，２，７，３，６，１，４］である、又は、これらのサブセットである。ある実施形態では、８つよりも少ない数の空間ストリーム（利用される特定のＭＣＳよって決まる）が使用される場合、空間ストリーム定数のセットは、８つの空間ストリームに対して規定された組のサブセットに対応する。例えば、上記の空間ストリーム定数の組（すなわち、［０，５，２，７，３，６，１，４］）を使用する実施形態では、７つの空間ストリームの場合、空間ストリーム定数の組は［０  ５  ２  ７  ３  ６  １］であり、６つの空間ストリームの場合、空間ストリーム定数の組は［０  ５  ２  ７  ３  ６］となり、以下同様に選択される。更に、ある実施形態では、周波数回転パラメータＮＲＯＴの特定の値は、チャネル帯域幅のみに依存する。例えば、一実施形態において、ＮＲＯＴは、２０ＭＨｚチャネル、４０ＭＨｚチャネル又は８０ＭＨｚの場合、それぞれ、６、１３又は２８に等しい。
【００３４】
ある実施形態では、個別の空間ストリーム定数のセット及び回転パラメータは、５つ以上の空間ストリームの場合に規定される。例えば、このような一実施形態では、７つ以下の空間ストリームの場合における空間ストリームの組及び対応するサブセットは、５つの空間ストリーム、６つの空間ストリーム、７つの空間ストリーム又は８つの空間ストリームの場合について説明したように使用される。この実施形態では、第３インターリーバ置換（例えば、図２における、インターリーバ２２０それぞれによって実行される第３置換）は、次の式３で表される。
【数３】
0005839416.tif 000004
ここで、ｉｓｓは空間ストリームインデックスであり、ＮＢＰＳＣＳは、サブキャリア毎のビット数であり、ＮＣＢＰＳＳは、空間ストリームの符合化されたビットの数であり、Ｊ（ｉｓｓ）は、空間ストリーム定数の組（例えば、上記の空間ストリーム定数の組［０，５，２，７，３，６，１，４］）における対応する定数である。
【００３５】
一方、一実施形態によれば、２つの空間ストリーム、３つの空間ストリーム又は４つの空間ストリームの場合、インターリーバ２２０それぞれによって実行される第３の置換は、式４で表される。
【数４】
0005839416.tif 000005
ここで、ｒ及びｊはそれぞれ、出力ビット及び入力ビットインデックスであり、ｉｓｓは、空間ストリームインデックスであり、ＮＢＰＳＣＳは、サブキャリア毎のビット数であり、ＮＣＢＰＳＳは、空間ストリームに対する符合化されたビットの数である。
【００３６】
そして、当然のことながら、対応するデインタリーブオペレーションが、受信側で受信された情報に対して行われる。一実施形態において、例えば、デインタリーブオペレーションは、クライアント局２５−１（図１）におけるＰＨＹ処理ユニット２９によって実行される。一実施形態において、３つ以下の空間ストリームの場合のデインタリーブオペレーションは、式５で表される。
【数５】
0005839416.tif 000006
ここで、ｊ及びｒはそれぞれ、出力ビット及び入力ビットのインデックスを表し、ｉｓｓは、空間ストリームインデックスであり、ＮＢＰＳＣＳは、サブキャリア毎のビット数であり、ＮＣＢＰＳＳは、空間ストリームの符合化されたビット数であり、Ｊ（ｉｓｓ）は、空間ストリーム定数の組（例えば、上記の空間ストリーム定数の組［０，５，２，７，３，６，１，４］）である。
【００３７】
同様に、一実施形態において、２つの空間ストリーム、３つの空間ストリーム又は４つの空間ストリームの場合のデインタリーブオペレーションは、式７で表される。
【数６】
0005839416.tif 000007
ここで、ｊ及びｒはそれぞれ、出力ビット及び入力ビットのインデックスを表し、ｉｓｓは、空間ストリームインデックスであり、ＮＢＰＳＣＳは、サブキャリア毎のビット数であり、ＮＣＢＰＳＳは、空間ストリームの符合化されたビット数である。
【００３８】
ある実施形態では、周波数回転パラメータＮＲＯＴの特定の値、及び、空間ストリーム定数の特定の値は、２つの隣接する空間ストリーム間の周波数ドメイン又は時間ドメインにおける最大平均距離に基づいて選択される。一実施形態によれば、時間ドメインの平均距離は、シンボルの時間的な継続期間で測定される。一方、別の実施形態では、ＯＦＤＭシステムでは、周波数ドメインの最大平均距離は、隣接する空間ストリーム間の最大平均サブキャリア距離に対応する。一実施形態では、例えば、２つの隣接する空間ストリーム間の平均距離は、式８に従って決定される。
【数７】
0005839416.tif 000008
ここで、ｉは、置換前のデータトーンインデックスであり、ｋ及びｍはそれぞれ、ｉｓｓ番目の空間ストリーム及びｉｓｓ＋１番目の空間ストリームの置換後のデータトーンインデックスであり、ｉｓｓは空間ストリームインデックスであり、Ａは正規化係数である。
【００３９】
これに替えて、ＯＦＤＭ変調を使用する別の実施形態では、最大平均距離は、Ｊ個の隣接する空間ストリームから決定される。すなわち、一実施形態では、平均距離は、式９によって決定される。
【数８】
0005839416.tif 000009
ここで、ｉは、置換前のデータトーンインデックスであり、ｋ及びｍはそれぞれ、置換後のｉｓｓ番目の空間ストリーム及びｉｓｓ＋１番目の空間ストリームのデータトーンインデックスであり、ｉｓｓは空間ストリームインデックスであり、Ａは正規化係数である。式９は、例えば、式８によって決定された等しい最大平均距離が、少なくとも一部のシナリオでは、複数の異なる周波数回転パラメータ（ＮＲＯＴ）及び空間ストリーム定数の組の組み合わせに対応する。
【００４０】
ある実施形態では、平均距離Ｄは、複数の好適な回転係数ＮＲＯＴ及び複数の好適な空間ストリーム定数の組について、式８に従って決定され、特定のＮＲＯＴ及び特定の空間ストリーム定数の組に対応する最大平均距離が決定される。例えば、図３は、８０ＭＨｚチャネルの８つの空間ストリームついて設計されたインターリバに対する、複数の周波数回転パラメータＮＲＯＴ及び複数の利用可能な空間ストリーム定数置換の最大平均距離の値のプロット３００である。プロット３００における最大点は、インターリーブオペレーションへの入力における２つの連続した情報ビットのマッピング結果が、平均して、インターリーブオペレーションの出力における隣接する空間ストリームの最大サブキャリア距離分だけ互いに離れた情報ビットになる場合に対応する。一実施形態において、この最大平均距離は、対応するシステム構成における、最も良好な又は最も良好に近いパケット誤り率（ＰＥＲ）性能に対応する基準として使用される。複数の好適なシステム構成について（例えば、様々な変調コーディングスキーム（ＭＣＳ）、様々な個数のデータトーン、様々なチャネル帯域幅等）、空間ストリーム定数の組及び複数のシステム構成における好適なＰＥＲ性能を提供する周波数回転ＮＲＯＴパラメータを決定するべく、このような基準が決定される。
【００４１】
図４から図１１は、ＷＬＡＮ１０（図１）の異なる構成の様々な空間ストリーム定数の組との組み合わせにおける、様々な回転パラメータを比較したシミュレーション結果が示されている。シミュレーションは、各ＰＥＲ曲線について１０００チャネルが生成された場合の、８０ＭＨｚチャネルにおける８０００ビットのパケット長さに対応している。シミュレーションでは、最大平均サブキャリア距離に基づいた周波数回転係数及び空間ストリーム選択により、シミュレーションされたシステム構成の全てにおいて最良の又は最良い近いＰＥＲ性能が提供されたことを示している。一般的に、ＰＥＲが、選択されたインターリーバパラメータに加えて、例えば、使用される特定のＭＣＳ、空間ストリームの数、アンテナ要素間の相関関係等のシステム要因に依存することから、５つのシミュレーションされたＮＲＯＴ及び空間ストリーム定数の組の組み合わせの何れも、シミュレーションされたシステム構成の全てにおいて最良のＰＥＲ性能を提供していない。しかしながら、図４から図１１に示されるように、特定のシステム構成において、一部の組み合わせでは、ＰＥＲ性能に大幅な減少が見られる。
【００４２】
図１２は、一実施形態に係る、データユニットにおける情報ビットをインターリーブするための方法１２００の一例が示されたフローチャートである。一実施形態において、方法１２００は、ネットワークインターフェース１６（例えば、ＰＨＹプロセッシングユニット２０）によって実装される。別の実施形態では、方法１２００は、ネットワークインターフェース２７（例えば、ＰＨＹプロセッシングユニット２９）（図１）によって実装される。その他の実施形態では、方法１２００は、その他の好適なネットワークインターフェースによって実装される。
【００４３】
ブロック１２０４において、生成されるデータユニットが占めるチャネル帯域幅が決定される。例えば、一実施形態では、データユニットは、データユニットが生成される特定のシステム構成に応じて、２０ＭＨｚ帯域幅、４０ＭＨｚ帯域幅、８０ＭＨｚ帯域幅、又は、１６０ＭＨｚ帯域幅のうちの１つを占める。その他の実施形態では、生成されるデータユニットは、別の好適な帯域幅を占める。
【００４４】
ブロック１２０８では、周波数回転パラメータは、複数の周波数回転パラメータから選択される。例えば、一実施形態では、周波数回転パラメータＮＲＯＴは、上記で説明したように選択される。一実施形態では、ブロック１２０４において、決定された帯域幅に応じて、異なるＮＲＯＴが選択される。例えば、一実施形態において、ＮＲＯＴは、２０ＭＨｚチャネル、４０ＭＨｚチャネル又は８０ＭＨｚチャネルの場合、それぞれ６、１３又は２８に等しい。
【００４５】
ブロック１２１２において、特定の空間ストリー無に対する空間ストリーム定数が、８つの空間ストリームの場合、又は、８つ未満の空間ストリームの場合には、対応するそのサブセットの組［０，５，２，７，３，６，１，４］から選択される。例えば、７つの空間ストリームの場合、特定の空間ストリーム定数は、［０，５，２，７，３，６，１］から選択される。すなわち、この実施形態では、空間ストリーム定数ｎｉｓｓは、第１空間ストリーム対しては０、第２空間ストリームに対しては５、第３空間ストリームに対しては２、第４空間ストリームに対しては７とったようになる。
【００４６】
ブロック１２１６では、ブロック１２０８及びブロック１２１２で各空間ストリームに対してそれぞれ選択された周波数回転パラメータ及び空間ストリーム定数を使用して、データユニット情報ビットがインタリーブされる。一実施形態では、ブロック１２１６において、情報ビットは、式３に従ってインターリーブされる。ある実装形態では、ブロック１２１６において、５以上の空間ストリームが存在する場合にのみ、ブロック１２０８及びブロック１２１２で選択されたパラメータに基づいて、データユニット情報ビットがインターリーブされる。このような一実施形態では、４つ以下の空間ストリームの場合の情報ビットは、式４に従って、ブロック１２１６においてインターリーブされる。
【００４７】
図１３は、一実施形態に係る複数入力複数出力（ＭＩＭＯ）通信システムに対するインターリーバパラメータを決定する方法１３００の一例を示したフローチャートである。一実施形態において、方法１３００は、図１のＷＬＡＮ１０で動作する図２のインターリーバ２２０によって実行される置換に対するインターリーバパラメータを決定するのに使用される。別の実施形態では、方法１３００は、ＷＬＡＮ１０で動作する別の好適なインターリーバ、又は、別の好適なネットワークで動作するインターリーバに対するインターリーバパラメータを決定するのに使用される。
【００４８】
ブロック１３０４では、複数のシステム構成について（例えば、様々な変調及びコーディングスキーム（ＭＣＳ）、様々なチャネル帯域幅等）、隣接する空間ストリームにおける最大平均距離を決定する。例えば、一実施形態において、式８を使用して、最大平均距離は、２つの隣接する空間ストリームについて決定される。これに替えて、一実施形態では、最大平均距離は、式９を使用して、Ｊ個（例えば、３以上）の空間ストリーム間で決定される。ここで、Ｊは、少なくとも値２を含む、正の整数である。
【００４９】
ブロック１３０８において、複数のシステム構成で使用されるインターリーバパラメータセット（例えば、上記のような、ＮＲＯＴ及び空間ストリーム定数セットに対する値）が、システム構成の各々についてブロック１３０４で決定された最大平均距離を基準として使用して、決定される。一実施形態において、インターリーバパラメータセットは、複数のシステム構成において低いパケット誤り率（ＰＥＲ）が達成できるように決定される。すなわち、この実施形態では、ＰＥＲ性能は、インターリーバパラメータ設計の目標として使用される。別の実施形態では、ブロック１３０８において、チャネル性能の別の好適な測定基準をインターリーブパラメータ設計目標として使用する。
【００５０】
上記で説明した様々なブロック、オペレーション及び技術の少なくとも一部は、ハードウェア、ファームウェア命令を実行するプロセッサ、ソフトウェア命令を実行するプロセッサ又はこれらの組み合わせを使用して実装されてもよい。ソフトウェア命令又はファームウェア命令を実行するプロセッサを利用して実装される場合、ソフトウェア命令又はファームウェア命令は、磁気ディスク、光ディスクのようなコンピュータ可読メモリ、又は、ＲＡＭ又はＲＯＭ又はフラッシュメモリ内のその他の記憶媒体、プロセッサ、ハードディスクドライブ、光ディスクドライブ、テープドライブ等に格納されてもよい。同様に、ソフトウェア命令又はファームウェア命令は、周知の任意の又は所望の供給方法、例えば、コンピュータ可読ディスク又はその他の可搬コンピュータ記憶メカニズムにより、又は、通信媒体を介して、ユーザ又はシステムに供給されてもよい。通信媒体は、典型的には、コンピュータ可読命令、データ構造、プログラムモジュール、又は、搬送波のような変調データ信号又はその他の搬送メカニズムにおけるその他のアデータの形態で具現化される。"変調データ信号"とは、信号における情報をエンコードするような態様で設定又は変更された性質の１以上を有する信号を意味する。例えば、これに限定されないが、通信媒体とは、有線ネットワーク又は直接有線接続された接続のような有線媒体、及び、音波、無線周波数、赤外のような無線媒体及びその他の無線媒体を含む。そして、ソフトウェア命令又はファームウェア命令は、電話回線、ＤＳＬ回線、ケーブルテレビ回線、光ファイバー回線、無線通信チャネル、インターネット等（これらは、可搬記憶媒体を介したソフトウェアによる提供と同様又は交換可能と見なされる）のような通信チャネルを介して、ユーザ又はシステムに提供される。ソフトウェア命令又はファームウェア命令は、プロセッサによって実行されるとプロセッサに様々な動作を行わせる機械可読命令を含んでもよい。
【００５１】
ハードウェアに実装される場合、個別部品、集積回路、特定用途向け集積回路（ＡＳＩＣ）、プログラマブルロジックデバイス（ＰＬＳ）等の１以上を含んでもよい。
【００５２】
本発明が、特定の例を参照して説明されたが、これは例示を目的としており、本発明を限定することを目的としていない。本発明の範囲内において、開示された実施形態に様々な変更、付加及び削除を行うことができる。
［項目１］
物理層（ＰＨＹ）データユニットにおける情報ビットをインターリーブする方法であって、
上記ＰＨＹデータユニットを送信するために使用されるチャネル帯域幅を決定する段階と、
上記チャネル帯域幅に対応する周波数回転パラメータＮＲＯＴを選択する段階と、
空間ストリームそれぞれについて、
（ｉ）使用される空間ストリームの数に応じて、［０，５，２，７，３，６，１，４］の組から又は当該組のサブセットから、空間ストリーム定数を選択する段階と、
（ｉｉ）選択された上記周波数回転パラメータＮＲＯＴ及び選択された上記空間ストリーム定数に従って、上記情報ビットをインターリーブする段階と、を備え、
上記組の定数はそれぞれ、空間ストリームに対応している方法。
［項目２］
上記選択された周波数回転パラメータＮＲＯＴ及び上記選択された空間ストリーム定数に従って上記情報ビットをインターリーブする段階は、４つより多い空間ストリームに対して、上記ＰＨＹデータユニットが生成される場合に、
【数９】
0005839416.tif 000010
に従って、上記情報ビットに対する出力空間ストリームインデックスを決定する段階を有し、
ここで、ｒ及びｊはそれぞれ、出力ビットインデックス及び入力ビットインデックスであり、ｉｓｓは空間ストリームインデックスであり、ＮＢＰＳＣＳはサブキャリア毎のビット数であり、ＮＣＢＰＳＳは上記空間ストリームの符号化されたビットの数であり、Ｊ（ｉｓｓ）は、上記使用される空間ストリームの数に応じて、上記［０，５，２，７，３，６，１，４］の組又は当該組のサブセットから選択される空間ストリーム定数である、
項目１に記載の方法。
［項目３］
上記チャネル帯域幅が２０ＭＨｚの場合には、ＮＲＯＴ＝６である項目１に記載の方法。
［項目４］
上記チャネル帯域幅が４０ＭＨｚの場合には、ＮＲＯＴ＝１３である項目１に記載の方法。
［項目５］
上記チャネル帯域幅が８０ＭＨｚの場合には、ＮＲＯＴ＝２８である項目１に記載の方法。
［項目６］
ＰＨＹデータユニットを送信するのに使用されるチャネル帯域幅を決定するネットワークインターフェースデバイスを備える装置であって、
上記ネットワークインターフェースデバイスは、インターリーバを有し、
上記インターリーバは、
上記チャネル帯域幅に対応する周波数回転パラメータＮＲＯＴを選択し、
空間ストリームそれぞれについて、
（ｉ）使用される空間ストリームの数に応じて、［０，５，２，７，３，６，１，４］の組から又は当該組のサブセットから、空間ストリーム定数を選択し、
（ｉｉ）選択された上記周波数回転パラメータＮＲＯＴ及び選択された上記空間ストリーム定数に従って、情報ビットをインターリーブし、
上記組の定数はそれぞれ、空間ストリームに対応している装置。
［項目７］
上記インターリーバは、４つより多い空間ストリームに対して、上記ＰＨＹデータユニットが生成される場合に、
【数９】
0005839416.tif 000011
に従って、上記情報ビットに対する出力空間ストリームインデックスを決定し、
ここで、ｒ及びｊはそれぞれ、出力ビットインデックス及び入力ビットインデックスであり、ｉｓｓは空間ストリームインデックスであり、ＮＢＰＳＣＳはサブキャリア毎のビット数であり、ＮＣＢＰＳＳは上記空間ストリームの符号化されたビットの数であり、Ｊ（ｉｓｓ）は、上記使用される空間ストリームの数に応じて、上記［０，５，２，７，３，６，１，４］の組又は当該組のサブセットから選択される空間ストリーム定数である、
項目６に記載の装置。
［項目８］
上記チャネル帯域幅が２０ＭＨｚの場合には、ＮＲＯＴ＝６である項目６に記載の装置。
［項目９］
上記チャネル帯域幅が４０ＭＨｚの場合には、ＮＲＯＴ＝１３である項目６に記載の装置。
［項目１０］
上記チャネル帯域幅が８０ＭＨｚの場合には、ＮＲＯＴ＝２８である項目６に記載の装置。
［項目１１］
複数入力複数出力（ＭＩＭＯ）通信システムのインターリーバパラメータを決定する方法であって、
複数のシステム構成について、複数の隣接する空間ストリームの最大平均距離を決定する段階と、
決定された上記最大平均距離に基づいて、上記複数のシステム構成に対して、インターリーバパラメータの組を決定する段階とを備える方法。
［項目１２］
上記複数の隣接する空間ストリームの最大平均距離を決定する段階は、
【数１０】
0005839416.tif 000012
に従って、複数の好適なインターリーバパラメータの組のそれぞれについて、２つの隣接する空間ストリームの平均距離を計算する段階を有し、
ここで、ｉは置換前のデータトーンインデックスであり、ｋ及びｍはそれぞれ、ｉｓｓ番目の空間ストリーム及びｉｓｓ＋１番目の空間ストリームの置換後のデータトーンインデックスであり、ｉｓｓは空間ストリームインデックスであり、Ａは正規化係数である項目１１に記載の方法。
［項目１３］
上記複数の隣接する空間ストリームの最大平均距離を決定する段階は、
【数１１】
0005839416.tif 000013
に従って、複数の好適なインターリーバパラメータの組のそれぞれについて、Ｊ個の空間ストリームの平均距離を計算する段階を有し、
ここで、ｉは置換前のデータトーンインデックスであり、ｋ及びｍはそれぞれ、ｉｓｓ番目の空間ストリーム及びｉｓｓ＋１番目の空間ストリームの置換後のデータトーンインデックスであり、ｉｓｓは空間ストリームインデックスであり、Ａは正規化係数である項目１１に記載の方法。
［項目１４］
上記決定された上記最大平均距離に基づいて、上記複数のシステム構成に対して、インターリーバパラメータの組を決定する段階は、
上記複数のシステム構成について、上記決定された最大平均距離に対応するインターリーバパラメータの組のパケット誤り率（ＰＥＲ）性能を、ＰＥＲ性能基準として使用する段階と、
上記複数のシステム構成のそれぞれにおけるパケット誤り率（ＰＥＲ）性能を使用して、複数の好適なインターリーバパラメータの組を比較する段階と、
上記ＰＥＲ性能基準、及び、上記複数のシステム構成における上記ＰＥＲ性能に基づいて、インターリーバパラメータの１組を選択する段階とを有する項目１１に記載の方法。
［項目１５］
機械実行可能命令を格納するコンピュータ可読媒体であって、
上記機械実行可能命令は、複数入力複数出力（ＭＩＭＯ）通信システムのインターリーバパラメータを決定させるべく、上記機械に、
複数のシステム構成について、複数の隣接する空間ストリームの最大平均距離を決定する段階と、
決定された上記最大平均距離に基づいて、上記複数のシステム構成について、インターリーバパラメータの組を決定する段階とを実行させるコンピュータ可読媒体。
［項目１６］
上記複数の隣接する空間ストリームの最大平均距離を決定する段階は、
【数１０】
0005839416.tif 000014
に従って、複数の好適なインターリーバパラメータの組のそれぞれについて、２つの隣接する空間ストリームの平均距離を計算する段階を有し、
ここで、ｉは置換前のデータトーンインデックスであり、ｋ及びｍはそれぞれ、ｉｓｓ番目の空間ストリーム及びｉｓｓ＋１番目の空間ストリームの置換後のデータトーンインデックスであり、ｉｓｓは空間ストリームインデックスであり、Ａは正規化係数である項目１５に記載のコンピュータ可読媒体。
［項目１７］
上記複数の隣接する空間ストリームの最大平均距離を決定する段階は、
【数１１】
0005839416.tif 000015
に従って、複数の好適なインターリーバパラメータの組のそれぞれについて、Ｊ個の空間ストリームの平均距離を計算する段階を有し、
ここで、ｉは置換前のデータトーンインデックスであり、ｋ及びｍはそれぞれ、ｉｓｓ番目の空間ストリーム及びｉｓｓ＋１番目の空間ストリームの置換後のデータトーンインデックスであり、ｉｓｓは空間ストリームインデックスであり、Ａは正規化係数である項目１５に記載のコンピュータ可読媒体。
［項目１８］
上記決定された上記最大平均距離に基づいて、上記複数のシステム構成に対して、インターリーバパラメータの組を決定する段階は、
上記複数のシステム構成について、上記決定された最大平均距離に対応するインターリーバパラメータの組のパケット誤り率（ＰＥＲ）性能を、ＰＥＲ性能基準として使用する段階と、
上記複数のシステム構成のそれぞれにおけるパケット誤り率（ＰＥＲ）性能を使用して、複数の好適なインターリーバパラメータの組を比較する段階と、
上記ＰＥＲ性能基準、及び、上記複数のシステム構成における上記ＰＥＲ性能に基づいて、インターリーバパラメータの１組を選択する段階とを有する項目１５に記載のコンピュータ可読媒体。
【図１】
0005839416.tif 000018
【図２】
0005839416.tif 000019
【図３】
0005839416.tif 000020
【図４】
0005839416.tif 000021
【図５】
0005839416.tif 000022
【図６】
0005839416.tif 000023
【図７】
0005839416.tif 000024
【図８】
0005839416.tif 000025
【図９】
0005839416.tif 000026
【図１０】
0005839416.tif 000027
【図１１】
0005839416.tif 000028
【図１２】
0005839416.tif 000029
【図１３】
0005839416.tif 000030